(57)【要約】【課題】光源からの光出射が妨げられずに融雪が行える屋外用照明灯を提供する。【解決手段】屋外用照明灯１は、光出射口１０を備えた器具本体２と、光出射口１０に配設されている透光性部材３と、透光性部材３から光出射されるように器具本体２に配設されている光源４と、透光性部材３の外周に設けられ、通電により発熱する電熱部材５を具備している。【選択図】図１
2004308296.tif 000002
【特許請求の範囲】
【請求項１】
光出射口を備えた器具本体と；
光出射口に配設されている透光性部材と；
透光性部材から光出射されるように器具本体に配設されている光源と；
透光性部材の外周に設けられ、通電により発熱する電熱部材と；
を具備していることを特徴とする屋外用照明灯。
【請求項２】
透光性部材の外周面に連続する溝が形成され、電熱部材は、溝に埋設されているとともに、透光性部材の外周面および光出射口の内壁の間に防水用部材が配設されていることを特徴とする請求項１記載の屋外用照明灯。
【請求項３】
光出射口を備えた器具本体と；
光出射口に配設されている赤外線吸収ガラス製の透光性部材と；
透光性部材から光出射されるように器具本体に配設されている光源と；
を具備していることを特徴とする屋外用照明灯。
【請求項４】
光出射口を備えた器具本体と；
光出射口に配設されている透光性部材と；
光透光性部材の外面側に配設されている赤外線吸収ガラス板と；
透光性部材から光出射されるように器具本体に配設されている光源と；
を具備していることを特徴とする屋外用照明灯。
【発明の詳細な説明】
【０００１】
【発明の属する技術分野】融雪が行える屋外用照明灯に関する。
【０００２】
【従来の技術】屋外の灯器において、光源の光を前方に透過させる円形ガラス板の周縁部を支持している枠体に電熱ヒータを装着したものが提供されている（例えば、特許文献１参照。）。また、光線照射窓の全面に融雪ヒータを配線している特殊信号発光機が提供されている（例えば、特許文献２参照。）。
【０００３】
そして、航空標識灯などの標識灯においては、前記特殊信号発光機と同様に、光出射口の前面に電熱ヒータを配設するようにしている。電熱ヒータの発熱により、融雪が行われて光出射口の前面での積雪が防止されている。
【０００４】
【特許文献１】実開平２−１５０７０１号公報（第１頁、第５−６図）
【０００５】
【特許文献２】特開平１１−２３８１７８号公報（第３頁、第１図）
【０００６】
【発明が解決しようとする課題】特許文献１は、枠体と電熱ヒータの絶縁が必要であるという欠点を有する。また、特許文献２のように、光線照射窓の前面や標識灯の光出射口の前面に融雪ヒータを配設すると、ヒータ線が光源からの光の光路上に存在するので、光がヒータ線により遮断され、光出射口からの光量が低下するという欠点がある。
【０００７】
本発明は、光源からの光出射が妨げられずに融雪が行える屋外用照明灯を提供することを目的とする。
【０００８】
【課題を解決するための手段】請求項１に記載の屋外用照明灯の発明は、光出射口を備えた器具本体と；光出射口に配設されている透光性部材と；透光性部材から光出射されるように器具本体に配設されている光源と；透光性部材の外周に設けられ、通電により発熱する電熱部材と；を具備していることを特徴とする。
【０００９】
本発明および以下の各発明において、特に言及しない限り、各構成は以下による。
【００１０】
屋外用照明灯は、埋込形および地上形のいずれであってもよい。また、空港用、道路用など多用な用途のいずれであってもよい。
【００１１】
光源は、ハロゲンランプなどの白熱ランプ、発光ダイオードなど、特に問わない。
【００１２】
透光性部材は、光透過性、耐熱性、耐候性や耐加重性などの諸特性が高いほどよく、一般的なガラスや樹脂を問わないが、電熱部材を配設するので、ガラス製が好ましい。
【００１３】
電熱部材は、通電により発熱するものであればよく、例えばニッケル・クロム、銅・ニッケルなどの素材からなる電熱線または電熱板により構成される。
【００１４】
本発明によれば、通電により電熱部材が発熱し、透光性部材が加熱される。そして、電熱部材が発した熱は、透光性部材の外部の露出面に伝熱され、当該露出面に付着する雪を溶かす。また、電熱部材は、透光性部材の外周に配設され、光源の光路上に位置しないので、電熱部材によって光源からの光が光路上で遮られない。したがって、雪および電熱部材によって光出射口から出射される光源の光量の低下が防止される。
【００１５】
請求項２に記載の屋外用照明灯の発明は、請求項１記載の屋外用照明灯において、透光性部材の外周面に連続する溝が形成され、電熱部材は、溝に埋設されているとともに、透光性部材の外周面および光出射口の内壁の間に防水用部材が配設されていることを特徴とする。
【００１６】
防水用部材は、例えばパッキンやガスケットで構成できる。
【００１７】
本発明によれば、電熱部材は、透光性部材の外周面に形成された溝に埋設されているので、防水用部材を透光性部材の外周面および光出射口の内壁に密着させることができ、電熱部材からの熱が光出射口の内壁に伝えにくくされるとともに、光出射口において熱透光性部材が容易に液密に配設される。すなわち、屋外用照明灯は、内部への水などの液体の浸入が防止される。
【００１８】
請求項３に記載の屋外用照明灯の発明は、光出射口を備えた器具本体と；光出射口に配設されている赤外線吸収ガラス製の透光性部材と；透光性部材から光出射されるように器具本体に配設されている光源と；を具備していることを特徴とする。
【００１９】
赤外線吸収ガラスは、通常のガラス成分に、例えばニッケル、コバルト、鉄、セレンなどの金属を含んで製造されている。そして、本発明においては、入射光に対する出射光において、可視光の透過率が高く、例えば７０％以上、赤外光の透過率が低い、例えば４０％以下のものが好ましいが、赤外光の領域に透過率５０％以下を有していればよい。
【００２０】
本発明によれば、赤外線吸収ガラス製の透光性部材は、光源からの赤外線や太陽光などの外部から照射される赤外線を吸収して発熱する。この発熱により、透光性部材の外部の露出面に付着する雪が溶かされる。
【００２１】
請求項４に記載の屋外用照明灯の発明は、光出射口を備えた器具本体と；光出射口に配設されている透光性部材と；光透光性部材の外面側に配設されている赤外線吸収ガラス板と；透光性部材から光出射されるように器具本体に配設されている光源と；を具備していることを特徴とする。
【００２２】
赤外線吸収ガラス板は、請求項３に記載の赤外線吸収ガラスを板状に形成したものをいう。
【００２３】
本発明によれば、赤外線吸収ガラス板は、光源からの赤外線や太陽光などの赤外線を吸収して発熱し、自身に付着する雪を溶かす。これにより、光源からの光は、雪により妨げられず、透光性部材および赤外線吸収ガラス板を介して外部に出射される。
【００２４】
【発明の実施の形態】以下、本発明の一実施の形態について、図面を参照して説明する。まず、本発明の第１の実施形態について説明する。
【００２５】
図１〜図２は、本発明の第１の実施形態を示し、図１は航空標識灯の概略断面図、図２はプリズムの側面図である。
【００２６】
図１に示す屋外用照明灯は、航空標識灯１であり、この航空標識灯１は、器具本体としての標識灯本体２、透光性部材としてのプリズム３、光源としての発光ダイオードユニット４および電熱部材としての電熱線５を有して構成されている。標識灯本体２は、上部灯体６および下部灯体７からなり、図示しないボルト等を用いて覆合され、内部空間が形成されている。標識灯本体２は、地中８に埋設されている基台９に図示しないボルト等を用いて固定されている。そして、上部灯体６には、内部空間側から外部空間側に向かって斜め方向に略円柱状の光出射口１０が形成されている。
【００２７】
プリズム３は、少なくとも可視光が透過される強化ガラスからなり、上部灯体６の光出射口１０の内壁に密接されるように配設され、一端側の端面３Ａが内部空間に露出し、他端側の端面３Ｂが外部空間に露出している。そして、プリズム３は、図２に示すように、円柱状に形成された円柱状部１１およびこの円柱状部１１より直径が小さくされて円柱状であって、かつ外部空間に露出する露出面３Ｂが傾斜するように形成された側面視略台形状の台形状部１２を有し、円柱状部１１および台形状部１２は一体化されている。
【００２８】
プリズム３の円柱状部１１は、上部灯体６の光出射口１０の内壁に密接されている。そして、台形状部１２および光出射口１０の内壁の間には、防水用部材としての筒状のガスケット１３が台形状部１２を内包するようにして設けられている。ガスケット１３は、ＥＰＤＭ（エチレンプロピレンディエンゴム）、シリコン、ウレタンなどの材質からなる耐熱性、弾力性および耐候性が良好なゴムにより形成されている。そして、ガスケット１３は、その弾力性により、台形状部１２の外周面および光出射口１０の内壁を押圧している。これにより、ガスケット１３の内面と台形状部１２の外周面が密着され、かつガスケット１３の外表面と光出射口１０の内面が密着され、外部空間より標識灯本体２の内部空間に水などの液体が浸入することが阻止される。このように、プリズム３は、上部灯体６の光出射口１０に液密に配設されている。
【００２９】
そして、プリズム３は、光出射口１０に配設された状態において、ダイオードユニット４からの放射光が一端側の端面３Ａに入射される。そして、この入射光は、円柱状部１１および台形状部１２を通過して、他端側の端面（露出面）３Ｂから外部空間に出射される。そして、露出面３Ｂは、傾斜するように形成されているので、円柱状部１１および台形状部１２を直進してきた入射光は、露出面３Ｂで進行方向が変更されて外部空間に出射される。すなわち、図１において、プリズム３は、露出面３Ｂがより上方側を向くように上部灯体６の光出射口１０に配設されているので、発光ダイオードユニット４からの放射光は、外部空間のより上方側に出射される。上部灯体６の光出射口１０が斜め方向に形成され、プリズム３の露出面３Ｂが傾斜されることにより、発光ダイオードユニット４からの放射光が所定の方向に出射されている。このように、プリズム３は、発光ダイオードユニット４からの放射光を所定の方向に出射させる光路規正用として機能している。
【００３０】
また、プリズム３は、図２に示すように、台形状部１２の外周に溝１４が形成されている。この溝１４は、例えば幅２．０ｍｍ、深さ５．０ｍｍ、形成ピッチ３．０ｍｍに形成され、図中、正面においては円柱状部１１と略平行に、背面においては円柱状部１１に対して斜め方向に形成されていて、台形状部１２で連続している。
【００３１】
そして、溝１４に、例えば直径約１．５ｍｍのニクロム線（ニッケル・クロム線）からなる電熱線５が埋設されている。すなわち、溝１４の中に電熱線５が巻回されて埋設され、台形状部１２の外周面から電熱線５が突出していないものである。これにより、台形状部１２の外周面にガスケット１３の内面が密着するとともに、ガスケット１３の内面と電熱線５が接触せず、電熱線５の発熱によるガスケット１３の熱劣化が低減されている。
【００３２】
そして、プリズム３の円柱状部１１および台形状部１２の外周側に、電熱線５を貫通させる一対の貫通孔（図示しない。）が形成されている。この貫通孔に台形状部１２で巻回された電熱線５のそれぞれの一端が挿入されて、円柱状部１１の一端側の露出面３Ａから導出されている。そして、貫通孔は、少なくとも電熱線５が挿入される挿入口および導出される導出口において、貫通孔に電熱線５が貫通された後、例えばプリズムと同材質のガラスを用いて封止されている。この封止により、貫通孔を介して標識灯本体２の外部空間より内部空間に水などの液体が浸入することが阻止される。すなわち、プリズム３は、上部灯体６の光出射口１０に液密に配設される。
【００３３】
電熱線５のそれぞれの一端は、円柱状部１１の露出面３Ａの近傍において、一対の給電線１５に接続されている。この給電線１５は、図１に示すように、コネクタ１６さらにリード線１７を介して電源装置１８に接続されている。電源装置１８は、下部灯体７に配設されており、図示しない電源線を介して外部電源が供給される。そして、電源装置１８は、外部電源が供給されると、所定の直流電圧または交流電圧を出力する。この所定の直流電圧または交流電圧がリード線１７、コネクタ１６および給電線１５を介して電熱線５の両端間に印加されることにより、電熱線５は通電されて発熱する。
【００３４】
なお、給電線１５およびリード線１７の少なくとも一方は長くして、標識灯本体２の内部空間で撓ませている。これにより、上部灯体６と下部灯体７とを分離したとき、上部灯体６および下部灯体７の隙間を大きくすることができ、コネクタ１６の雄コネクタおよび雌コネクタ（共に付番しない。）の接続が手で容易に解除される。
【００３５】
また、図２において、電熱線５は、プリズム３の台形状部１２の外周に沿い巻回させる以外に、例えば台形状部１２の外周面に溝を網目状に形成し、この溝に電熱線５を蛇行させて埋設するようにしてもよい。また、台形状部１２の外周面に溝を設けず、台形状部１２の外周面に電熱線５を螺旋状に巻回させるようにしてもよく、網目状に配線するようにしてもよい。あるいは、幅挟かつ薄板状の電熱部材を台形状部１２の外周面に螺旋状に巻回させてもよく、一枚の幅広の電熱部材を台形状部１２の外周面に配設してもよい。すなわち、台形状部１２の外周側に電熱部材が設けられていればよいものである。
【００３６】
そして、台形状部１２の外周面に電熱線５または板状の電熱部材が設けられると、ガスケット１３の内面と台形状部１２の外周面との密着、またはガスケット１３の内面と電熱線５または板状の電熱部材との密着、あるいは電熱線５または板状の電熱部材と台形状部１２の外周面との密着がそれぞれ損なわれるおそれがある。したがって、プリズム３の台形状部１２の外周面に電熱線５または板状の電熱部材を設けるとき、プリズム３の円柱状部１１の外周面と上部灯体６の光出射口１０の内壁との間に、例えば防水用パッキンを設ける。この防水用パッキンは、上記密着が損なわれるようなことがあっても、標識灯本体２の外部空間より内部空間に水などの液体が浸入することを阻止する。こうして、プリズム３は、上部灯体６の光出射口１０に液密に配設される。
【００３７】
図１において、発光ダイオードユニット４は、複数の発光ダイオード１９が一組または数組となるように直列接続されて、円状または四角状の基板２０に実装されて構成されている。そして、発光ダイオード１９がプリズム３の円柱状部１１の露出面３Ａに対向するようにして、基板２０が下部灯体７に配設されている。基板２０からリード線２１が導出しており、このリード線２１は、下部灯体７に配設されている点灯装置２２に接続されている。発光ダイオードユニット４および点灯装置２２は、共に下部灯体７に配設されているので、リード線２１は、撓むことなく点灯装置２２に接続されている。
【００３８】
点灯装置２２は、図示しない電源線を介して外部電源が供給される。そして、点灯装置２２は、外部電源が供給されると、所定の直流電圧を出力する。この所定の直流電圧が直列接続された発光ダイオード１９の両端に印加されることにより、発光ダイオード１９が発光する。そして、発光ダイオード１９が放射した光は、プリズム３の円柱状部１１の露出面３Ａに入射される。
【００３９】
なお、発光ダイオードユニット４は、発光ダイオード１９がプリズム３の露出面３Ａに対向するように配設する必要はない。すなわち、発光ダイオードユニット４がプリズム３の露出面３Ａと異なる方向に配設されていても、発光ダイオード１９が発した光が反射鏡や反射板などの光路変更手段により、プリズム３の露出面３Ａに光入射され、露出面３Ｂから光出射されるようにしていればよいものである。
【００４０】
次に、本発明の第１の実施形態の作用について述べる。
【００４１】
航空標識灯１は、光出射口１０に配設されているプリズム３の外部空間の露出面３Ｂに積雪があると、発光ダイオード１９から放射された光が露出面３Ｂから出射されにくくなる。そこで、雪の降るおそれがあるときに、例えば制御室の制御盤から標識灯本体２に配設されている電源装置１８に給電する。電源装置１８は、電熱線５の両端間に所定の直流電圧または交流電圧を印加する。これにより、電熱線５は、通電されて発熱する。
【００４２】
電熱線５が発熱すると、プリズム３の台形状部１２が加熱される。台形状部１２は、筒状のガスケット１３で覆われているので、電熱線５から発した熱は、上部灯体６の光出射口１０の内壁に伝わりにくく、台形状部１２の露出面３Ｂに伝熱される。そして、露出面３Ｂに付着する雪は、露出面３Ｂに伝熱された熱により溶かされる。これにより、プリズム３の露出面３Ｂおよびその近傍に積雪することがなく、発光ダイオード１９から放射された光は、プリズム３の露出面３Ｂから所定方向に出射される。
【００４３】
そして、電熱線５は、プリズム３の台形状部１２の外周側に配設されているので、電熱線５で光路が妨げられず、プリズム３の露出面３Ｂから出射される発光ダイオード１９からの放射光の光量の低下が防止される。
【００４４】
また、電熱線５は、プリズム３の台形状部１２の外周面に形成された溝１４に埋設されていると、台形状部１２を内包する筒状であって弾性を有するガスケット１３が台形状部１２の外周面および光出射口１０の内壁に密着される。すなわち、当該ガスケット１３により、プリズム３は、標識灯本体２の光出射口１０に液密に配設されることが容易となる。
【００４５】
次に、本発明の第２の実施形態について述べる。
【００４６】
図３は、本発明の第２の実施形態を示す航空標識灯の断面図である。なお、図１と同一部分または同一部分に相当する部分には同一符号を付して説明は省略する。
【００４７】
図３に示す屋外用照明灯としての航空標識灯２３は、図１に示す航空標識灯１において、光源として反射鏡２４付きのハロゲンランプ２５が用いられ、ハロゲンランプ２５の点灯を制御する点灯装置２６が下部灯体７に配設されている。そして、プリズム３は、強化ガラスを用いて形成され、かつ赤外線吸収ガラス製である。この赤外線吸収ガラスは、通常のガラス成分に、例えばニッケル、コバルト、鉄、セレンなどの金属を含んで製造されたものであり、これら金属成分を含有している種類や量に応じて分光透過率が異なっている。そして、プリズム３は、光透過率が可視光では高く、赤外光では低い赤外線吸収ガラスを用いている。例えば可視光（一部）の透過率が７０％以上、赤外光（一部）の透過率が４０％以下のものを用いている。
【００４８】
そして、プリズム３の台形状部１２の外周面および上部灯体６の光出射口１０の内壁に密着してガスケット１３が配設されている。
【００４９】
プリズム３は、ハロゲンランプ２５が点灯すると、ハロゲンランプ２５から放射される赤外線を吸収して発熱する。また、露出面（外面）３Ｂに入射する太陽光などの赤外線を吸収して発熱する。そして、プリズム３の発熱による熱は、ガスケット１３により熱遮蔽されるために上部灯体６の光出射口１０の内壁に伝わりにくく、露出面３Ｂに伝熱される。そして、露出面３Ｂに付着する雪は、露出面３Ｂに伝熱された熱により溶かされる。これにより、プリズム３の露出面３Ｂおよびその近傍に積雪しなくなり、ハロゲンランプ２５から放射された光は、プリズム３の露出面３Ｂから所定方向に出射される。
【００５０】
次に、本発明の第３の実施形態について述べる。
【００５１】
図４は、本発明の第３の実施形態を示す航空標識灯の断面図である。なお、図３と同一部分には同一符号を付して説明は省略する。
【００５２】
図４に示す屋外照明灯としての航空標識灯２７は、図３に示す航空標識灯２３において、プリズム３の露出面３Ｂ側（外面側）に楕円形状の赤外線吸収ガラス板２８が配設されたものである。すなわち、赤外線吸収ガラス板は、プリズム３の露出面３Ｂに密着して配設され、またはプリズム３の露出面３Ｂの近傍に配設されている。赤外線吸収ガラス板２８は、赤外線の吸収率が大きく可視光の透過率が大きい素材の強化ガラスを用いて形成され、通常のガラス成分に、例えばニッケル、コバルト、鉄、セレンなどの金属を含んでいる。なお、プリズム３は、赤外線吸収ガラス製である必要はない。
【００５３】
図５は、一般のガラス板および赤外線吸収ガラス板２８のそれぞれの板厚に対する分光透過率を示し、図中のＳ３〜Ｓ６で示す曲線は、板厚３〜６ｍｍの一般ガラス板の分光透過率を各々示し、図中の数字３〜１２は、赤外線吸収ガラス板２８の板厚３〜１２ｍｍにおける分光透過率を示している。赤外線吸収ガラス板２８は、一般ガラス板より赤外光に対する吸収率が大きいが可視光も低下する。したがって、赤外線吸収ガラス板２８の板厚を５〜８ｍｍにすることにより、可視光（一部）での透過率が７０％以上で、赤外光（一部）での透過率４０％以下とすることができ、好適に用いることができる。
【００５４】
赤外線吸収ガラス板２８は、プリズム３の露出面（外面）３Ｂに入射される太陽光などの赤外線を吸収して発熱する。また、ハロゲンランプ２５から放射されプリズム３内を透過した赤外線を吸収して発熱する。この発熱により、赤外線吸収ガラス板２８に付着する雪が溶かされる。この結果、赤外線吸収ガラス板２８に積雪しなくなり、ハロゲンランプ２５から放射された光は、プリズム３の露出面３Ｂおよび赤外線吸収ガラス板２８から所定方向に出射される。
【００５５】
次に、本発明の第４の実施形態について述べる。
【００５６】
図６〜図７は、本発明の第４の実施形態を示し、図６は航空標識灯の概略断面図、図７は別の航空標識灯の概略断面図である。なお、図１と同一部分には同一符号を付して説明は省略する。
【００５７】
図６に示す屋外用照明灯としての航空標識灯２９は、図１に示す屋外用照明灯１において、透光性部材としてのプリズム３を使用せず、器具本体としての標識灯本体３０、光源としての発光ダイオード１９を有して構成されている。標識灯本体３０は、上部灯体３１および下部灯体３２からなり、図示しないボルト等を用いて覆合され、内部空間が形成されている。そして、上部灯体６には、内部空間および外部空間が互いに連通し水平方向（地上面８Ａと平行方向）に臨む開口３３を有するように、斜め方向から水平方向に略円柱状の光出射口３４が形成されている。航空標識灯２９は、開口３３の下面が地上面８Ａと略同一となるように基台９に取り付けられている。
【００５８】
発光ダイオード１９は、１個または複数個であり、光出射口３４に位置して下部灯体３２に固定されている基板３５に実装されている。このとき、発光ダイオード１９は、地上面８Ａに略平行となるように基板３５に固定されている。そして、基板３５は、下部灯体３２に配設され、外部電源に接続されている点灯装置３６に接続されている。また、発光ダイオード１９の下部側に、開口３３側から基板３５側にＬ形金具３７が配設されている。このＬ形金具３７は、例えばアルミニウムからなり、基板３５に固定されている支持板３８に取り付けられている。なお、発光ダイオード１９のフレームは、Ｌ形金具３７と絶縁されている。
【００５９】
そして、開口３３の前面側の内部に透光性部材としての長方形状の赤外線吸収ガラス板３９が配設されている。すなわち、赤外線吸収ガラス板３９は、開口３３の内壁に接着剤で固着され、開口３３を密閉している。これにより、標識灯本体３０の内部空間は、液密にされている。そして、赤外線吸収ガラス板３９は、図５に示す赤外線吸収ガラス板２８と同様なものである。
【００６０】
点灯装置３６に外部電源が供給されると、点灯装置３６は、所定の直流電圧を出力する。この所定の直流電圧が発光ダイオード１９の両端に印加されて、発光ダイオード１９が発光する。そして、発光ダイオード１９から放射された光は、開口３３および赤外線吸収ガラス板３９を介して外部空間に出射される。ここで、発光ダイオード１９から放射された光のうち、直接光の一部は、水平方向（地上面８Ａと略平行）に出射され、直接光の一部（拡散光）およびＬ形金具３７で反射した反射光（間接光）が外部空間の上方に出射される。
【００６１】
そして、赤外線吸収ガラス板３９は、開口３３側に入射される太陽光などの赤外線を吸収して発熱する。また、発光ダイオード１９から放射された赤外線を吸収して発熱する。この発熱により、赤外線吸収ガラス板３９に付着する雪が溶かされる。そして、赤外線吸収ガラス板３９およびその近傍に積雪しなくなり、発光ダイオード１９から放射された光は、開口３３および赤外線吸収ガラス板３９から水平方向および上方側に出射される。
【００６２】
航空標識灯２９は、プリズムを具備せずに、地上面８Ａと略平行となる水平方向の光が出射されるものである。すなわち、水平方向の光を得るためのプリズムの光学設計が不要であり、プリズムによる可視光の吸収がない分、発光ダイオード１９の数量が減少され、簡素かつ安価に形成される。
【００６３】
そして、図７に示す屋外用照明灯としての航空標識灯４０は、図６に示す航空標識灯２９において、Ｌ形金具３７が使用されず、発光ダイオード１９の下部側に開口３３を介して上方に向くようにして発光ダイオード４１が基板３５に実装されたものである。発光ダイオード４１は、発光ダイオード１９と同数を有している。なお、支持板４２は、発光ダイオード１９および発光ダイオード４１のそれぞれのフレームを固定している。
【００６４】
航空標識灯４０は、水平方向（地上面８Ａと略平行）の出射光が発光ダイオード１９から放射された光のうちの直接光の一部から得られ、外部空間の上方に向かう出射光が発光ダイオード１９の一部（拡散光）および発光ダイオード４１の放射光により得られるものである。そして、赤外線吸収ガラス板３９による赤外線（赤外光）の吸収により融雪が行われる。
【００６５】
なお、上記第１〜第４の実施形態において、屋外用照明灯として埋込形の航空標識灯１，２３，２７，２９，４０を用いて説明したが、これらに限らず、埋込形、露出形を問わず、道路用、信号用など、屋外に設置される照明灯であればよい。
【００６６】
【発明の効果】請求項１の発明によれば、透光性部材の外周に設けられた電熱部材に通電することにより、電熱部材が発熱し、透光性部材が加熱されて透光性部材の外面に付着する雪を溶かすことができる。また、電熱部材は、透光性部材の外周に設けられているので、電熱部材で光源からの光が光路上で遮られず、雪および電熱部材によって透光性部材から出射される光源の光量の低下を防止することができる。
【００６７】
請求項２の発明によれば、電熱部材は、透光性部材の外周面に形成された溝に埋設されるので、透光性部材の外周面および光出射口の内壁に防水用部材を密着させることができ、電熱部材からの熱を光出射口の内壁に伝えにくくすることができるとともに、光出射口において熱透光性部材を容易に液密に配設することができて、屋外用照明灯の内部への液体の浸入を防止することができる。
【００６８】
請求項３の発明によれば、透光性部材は、光源からの赤外線や太陽光などの透光性部材の外面に入射される赤外線を吸収して発熱するので、透光性部材の外面に付着する雪を溶かすことができ、透光性部材の外面での積雪を防止することができる。
【００６９】
請求項４の発明によれば、赤外線吸収ガラス板は、光源からの赤外線や太陽光などの赤外線を吸収して発熱し、自身に付着する雪を溶かすので、透光性部材の外面および赤外線吸収ガラス板での積雪を防止することができる。
【図面の簡単な説明】
【図１】本発明の第１の実施形態を示す航空標識灯の概略断面図。
【図２】同じく、プリズムの側面図。
【図３】本発明の第２の実施形態を示す航空標識灯の断面図。
【図４】本発明の第３の実施形態を示す航空標識灯の断面図。
【図５】同じく、赤外線吸収ガラスの分光透過率を示す特性図。
【図６】本発明の第４の実施形態を示す航空標識灯の概略断面図。
【図７】同じく、別の航空標識灯の概略断面図。
【符号の説明】
１，２３，２７，２９，４０…屋外用照明灯としての航空標識灯、２，３０…器具本体としての標識灯本体、３…透光性部材としてのプリズム、４…光源としての発光ダイオードユニット、５…電熱部材としての電熱線、１９，４１…光源としての発光ダイオード、２５…光源としてのハロゲンランプ、２８，３９…赤外線吸収ガラス板
【図１】
2004308296.tif 000003
【図２】
2004308296.tif 000004
【図３】
2004308296.tif 000005
【図４】
2004308296.tif 000006
【図５】
2004308296.tif 000007
【図６】
2004308296.tif 000008
【図７】
2004308296.tif 000009